(57)【特許請求の範囲】
【請求項１】
中心周辺に少なくとも４つの弾性係合受け部を切り起こしたベースと、
複数個の押しボタンスイッチを同一円周上に実装し、かつ、磁界検出素子を実装するとともに、前記ベースに積み重ねて一体化したプリント基板と、
内周縁部を前記ベースの少なくとも２つの前記弾性係合受け部に係合して抜け止めするとともに、前記プリント基板の押しボタンスイッチに載置した環状操作板と、
下面に環状マグネットを同心円上に一体化し、前記環状操作板に同一軸心上に載置される環状の操作ダイヤルと、
前記操作ダイヤルの嵌合孔内に挿入され、前記ベースの少なくとも２つの前記弾性係合受け部に下方縁部を係合するとともに、前記操作ダイヤルの内周縁部に係合して抜け止めするリング状固定具と、からなる操作入力装置であって、
前記操作ダイヤルを回動することにより、前記環状マグネットの磁束の変化を前記磁界検出素子で検出できるとともに、前記操作ダイヤルを押し下げることにより、前記操作板を介して前記押しボタンスイッチを操作できることを特徴とする操作入力装置。
【請求項２】
前記環状操作板の内周面から内方に延在した少なくとも一対の連結部を介して連結一体化され、かつ、リング状固定具の操作孔に嵌合する押しボタンで、プリント基板に実装した押しボタンスイッチを操作可能としたことを特徴とする請求項１に記載の操作入力装置。
【請求項３】
リング状固定具の内周縁部に押しボタンの外周縁部を係止して抜け止めするとともに、前記押しボタンでプリント基板に実装した押しボタンスイッチを操作可能としたことを特徴とする請求項１に記載の操作入力装置。
【請求項４】
リング状固定具の内周面のうち、対向する位置に突設した一対の組付用突部に、組立用ピンを挿入できるピン孔を設けたことを特徴とする請求項３に記載の操作入力装置。
【請求項５】
請求項１ないし４のいずれか１項に記載の操作入力装置を、外部から操作できるように操作ダイヤルを露出させて取り付けたことを特徴とする電子機器。
【発明の詳細な説明】
【技術分野】
【０００１】
本発明は、携帯電話機や携帯用音楽プレーヤに適用できる操作入力装置に関する。
【背景技術】
【０００２】
従来、携帯電話機等に組み込まれる操作入力装置としては、例えば、ベースと、上面に複数個の押しボタンスイッチおよび磁界検出素子を実装し、前記ベースに積み重ねて一体化したプリント基板と、前記プリント基板上で上下動可能に前記ベースに支持された操作板と、Ｎ極およびＳ極を交互に配置した環状マグネットを下面に組み付け、前記操作板の上面に回動自在に組み付けられた円盤型操作ダイヤルと、からなり、前記円盤型操作ダイヤルを回動することにより、前記環状マグネットの磁束の変化を前記磁界検出素子で検知して回動方向を検出する一方、前記円盤型操作ダイヤルを押圧することにより、前記操作板を介して前記押しボタンスイッチを操作することを特徴とする操作入力装置がある（特許文献１参照）。
そして、前述の操作入力装置では、特許文献１の図４に示すように、金属ベース１０の外周縁部から切り起こした弾性係合受け部１３に、操作板５０の外周縁部に設けた弾性爪部５５を係合し、組み付けていた。
【特許文献１】特開２００６−２８５７４３号公報
【発明の開示】
【発明が解決しようとする課題】
【０００３】
しかしながら、前記操作入力装置では、前記弾性爪部５５が露出しているので、搬送時あるいは組立時に引っ掛かりやすい。このため、搬送時等に外力が負荷された場合に前記弾性爪部５５が損傷しやすいという問題点がある。
【０００４】
本発明は、前記問題点に鑑み、搬送時や組立時に損傷しにくい操作入力装置を提供することを課題とする。
【課題を解決するための手段】
【０００５】
本発明にかかる操作入力装置は、前記課題を解決すべく、中心周辺に少なくとも４つの弾性係合受け部を切り起こしたベースと、複数個の押しボタンスイッチを同一円周上に実装し、かつ、磁界検出素子を実装するとともに、前記ベースに積み重ねて一体化したプリント基板と、内周縁部を前記ベースの少なくとも２つの前記弾性係合受け部に係合して抜け止めするとともに、前記プリント基板の押しボタンスイッチに載置した環状操作板と、
下面に環状マグネットを同心円上に一体化し、前記環状操作板に同一軸心上に載置される環状の操作ダイヤルと、前記操作ダイヤルの嵌合孔内に挿入され、前記ベースの少なくとも２つの前記弾性係合受け部に下方縁部を係合するとともに、前記操作ダイヤルの内周縁部に係合して抜け止めするリング状固定具と、からなる操作入力装置であって、前記操作ダイヤルを回動することにより、前記環状マグネットの磁束の変化を前記磁界検出素子で検出できるとともに、前記操作ダイヤルを押し下げることにより、前記操作板を介して前記押しボタンスイッチを操作できる構成としてある。
【発明の効果】
【０００６】
本発明によれば、ベースの中心周辺から切り起こした弾性係合受け部に、環状操作ダイヤルの内周縁部を係合し、抜け止めしてある。このため、従来例のように弾性係合受け部が外部に露出することがなく、搬送時や組立時に引っ掛かることがない。この結果、例えば、搬送時に外力が負荷されても、前記弾性係合受け部が損傷することもなく、歩留まりが高い。
特に、前記弾性係合受け部をベースの外周縁部から切り起こしていないので、従来例のようにベースを操作ダイヤルよりも大きくする必要がなく、床面積の小さい操作入力装置が得られる。このため、大きな設置スペースを必要としないので、多種多様な電気機器に組み込むことができる。
【０００７】
本発明にかかる実施形態としては、前記環状操作板の内周面から内方に延在した少なくとも一対の連結部を介して連結一体化され、かつ、リング状固定具の操作孔に嵌合する押しボタンで、プリント基板に実装した押しボタンスイッチを操作可能としてもよい。
本実施形態によれば、押しボタンの増設に伴って操作機能が増大するが、設置スペースが増大せず、より一層広い範囲の電気機器に組み込むことができる。また、操作機能が増大しても、部品点数，組立個数が増大しないので、高い生産性を維持できる操作入力装置が得られる。
【０００８】
本発明にかかる他の実施形態としては、リング状固定具の内周縁部に押しボタンの外周縁部を係止して抜け止めするとともに、前記押しボタンでプリント基板に実装した押しボタンスイッチを操作可能としてもよい。
本実施形態によれば、押しボタンの増設に伴って操作機能が増大しても、設置スペースが増大せず、より一層広い範囲の電気機器に組み込むことができる。
【０００９】
本発明にかかる別の実施形態としては、リング状固定具の内周面のうち、対向する位置に突設した一対の組付用突部に、組立用ピンを挿入できるピン孔を設けておいてもよい。
本実施形態によれば、リング状固定具の組み付け作業が容易になり、生産性が向上する。
【００１０】
本発明にかかる電子機器は、前述の操作入力装置を、外部から操作できるように操作ダイヤルを露出させて取り付けた構成としてある。
【００１１】
本発明によれば、破損しにくく、設置スペースの小さい操作入力装置を組み込むことにより、歩留まりの良い小型の電子機器が得られるという効果がある。
【発明を実施するための最良の形態】
【００１２】
本発明にかかる実施形態を図１ないし図１８の添付図面に従って説明する。
第１実施形態にかかる操作入力装置は、例えば、携帯電話機（図示せず）に組み込むことにより、モニター内のスクロールバーをスクロールし、後述する押しボタン４０等を介して選択指示を出すことができる。
【００１３】
前記操作入力装置は、図２および図３に示すように、フレキシブルなプリント基板２０を貼着一体化した金属ベース１０と、下面にドーム状可動接点からなる中央押しボタンスイッチ３１ａおよび４個の押しボタンスイッチ３１ｂ〜３１ｅを貼り付けた樹脂製フィルムカバー３０と、前記中央押しボタンスイッチ３１ａを操作する押しボタン４０と、前記押しボタンスイッチ３１ｂ〜３１ｅに載置される環状の操作板４５と、下面に環状マグネット５３を固定した操作ダイヤル５０と、前記金属ベース１０に前記操作ダイヤル５０を抜け止めするリング状固定具６０と、からなるものである。
【００１４】
前記金属ベース１０は、図３および図６に示すように、平面略円形であり、その中心から同一円周上に４つの略Ｔ字形状の弾性係合受け部１２を均等のピッチで切り起こしてある。前記弾性係合受け部１２のうち、対向する一対の弾性係合受け部１２，１２の外側に治具孔１３，１４をそれぞれ設けてある。
【００１５】
フレキシブルな樹脂フィルムからなるプリント基板２０は、裏面に接着材を塗布した略円形の基板本体２０ａと、前記基板本体２０ａから延在するリード部２０ｂとから形成されている。前記基板本体２０ａは、その中央に導電部２１ａを設けてあるとともに、前記導電部２１ａを中心として同一円周上に均等のピッチで導電部２１ｂ〜２１ｅを配置してある。前記導電部２１ａ〜２１ｅは、環状固定接点部と前記環状固定接点部内に配置された一対の固定接点部とからなるものである。また、前記プリント基板２０は、前記金属ベース１０の弾性係合受け部１２および治具孔１３，１４と対応する位置に、係合孔２２および治具孔２３，２４をそれぞれ設けてある。さらに、前記基板本体２０ａは、その外周縁部に後述するホール素子２６を電気接続するための設置部２５，２５を形成してある。前記ホール素子２６は上方を通過する磁束に反応して検出信号を出力する特性を有する。そして、前記プリント基板２０は、前記設置部２５にホール素子２６を位置決めして接続してある。
なお、前記導電部２１ａ〜２１ｅは、例えば、固定接点部が同心円状であってもよく、また、平面視略Ｃ字形の一方の固定接点部の中央に、他方の固定接点部を配置しておいてもよい。
【００１６】
樹脂製フィルムカバー３０は、前記基板本体２０ａに被覆可能な平面形状を有し、接着材を塗布した裏面のうち、前記導電部２１ａ〜２１ｅと対応する位置に、扁平なドーム状反転バネからなる押しボタンスイッチ３１ａ〜３１ｅがそれぞれ貼り付けられている（図６）。また、前記押しボタンスイッチ３１ａ〜３１ｅは押圧時の空気抵抗を小さくすべく、前記基板本体２０ａの裏面に前記押しボタンスイッチ３１ａ〜３１ｅを相互に連通させるための通気部３６を形成してある。さらに、前記樹脂製フィルムカバー３０は、前記金属ベース１０の弾性係合受け部１２および治具孔１３，１４に対応する位置に、係合孔３２および治具孔３３，３４をそれぞれ設けてある。そして、前記樹脂製フィルムカバー３０は、その外周縁部に前記ホール素子２６を嵌合するための逃げ部３５を形成してある。
【００１７】
押しボタン４０は、図２および図５に示すように、後述する操作ダイヤル５０の嵌合孔５１に嵌合可能な外周形状を有し、その外周縁部から同一軸心上に延在する一対の連結部４１，４１を介して後述する操作板４５の内周面に一体化されている。また、前記押しボタン４０は、その底面中央部に押しボタンスイッチ３１ａを押し下げる操作用突起４２を設けてある。
【００１８】
操作板４５は、前記押しボタンスイッチ２１ｂ〜２１ｅに載置可能な直径を有する同心円形状であり、その下面内周縁部の対向する位置に、前記金属ベース１０の弾性係合受け部１２に係合可能な係合部４６，４６を設けてある。また、前記操作板４５は、その内周面に不連続な補強用リブ４７（図２）を突設してあるとともに、その下面外周縁部に、前記押しボタンスイッチ２１ｂ〜２１ｅをそれぞれ押圧するための操作用突起４８を突設してある。
なお、前記操作板４５は、その上面に、後述する操作ダイヤル５０の回動操作を円滑に行うための摺動シートを貼着一体化してもよく、摩擦抵抗の小さい樹脂材料を塗布してもよく、また、摩擦抵抗を小さくするために梨地加工を施しておいてもよい。
【００１９】
操作ダイヤル５０は、図４に示すように、前記金属ベース１０を載置可能な同心円形状であり、その中心に前記押しボタン４０を嵌合できる嵌合孔５１を設けてある。また、前記操作ダイヤル５０は、その下面外周縁部に沿って環状溝５２を設けるとともに、前記環状溝５２に連通する切り欠き部５２ａを設けてある。さらに、前記嵌合孔５１の下方縁部には環状段部５４が形成されている。そして、前記切り欠き部５２ａに環状マグネット５３のバリ部５３ａを嵌合することにより、前記環状溝５２に環状マグネット５３を固定する。なお、前記操作ダイヤル５０は、必ずしも円形である必要はなく、回動可能であれば、例えば、正八角形であってもよい。
【００２０】
リング状固定具６０は、図２および図５に示すように、リング部が断面略Ｌ字形状であり、前記操作ダイヤル５０の嵌合孔５１に嵌合することにより、前記操作ダイヤル５０の環状段部５４に係合して抜け止めできる外径寸法を有する。また、前記リング状固定具６０は、前記押しボタン４０を嵌合できる内径寸法の操作孔６１を有している。さらに、前記リング状固定具６０は、その下方縁部の対向する位置に、前記金属ベース１０の弾性係合受け部１２に弾性係合可能な係合部６２を設けてある。
【００２１】
次に、前述の構成部品の組立工程について説明する。
まず、図示しない治具である一対の位置決めピンに前記金属ベース１０の治具孔１３，１４を挿入して位置決めする。ついで、ホール素子２６，２６を所定の位置に実装したプリント基板２０の治具孔２３，２４を、前記治具の一対のピンに挿入することにより、前記金属ベース１０の弾性係合受け部１２に前記プリント基板２０の係合孔２２を嵌合して貼着一体化する。さらに、樹脂製フィルムカバー３０の治具孔３３，３４を前記治具ピンに挿入し、前記プリント基板２０の本体部２０ａに樹脂製フィルムカバー３０を貼着一体化することにより、導電部２１ａ〜２１ｅにドーム状反転バネからなる押しボタンスイッチ３１ａ〜３１ｅをそれぞれ位置決めする。
【００２２】
ついで、前記押しボタンスイッチ３１ａに押しボタン４０を載置し、操作板４５の係合部４６，４６を前記ベースの弾性係合受け部１２，１２に係合することにより、前記操作板４５を前記押しボタンスイッチ３１ｂ〜３１ｅ上に当接させて位置決めする。そして、押しボタン４０に操作ダイヤル５０の嵌合孔５１を嵌合する。さらに、リング状固定具６０を押しボタン４０と操作ダイヤル５０との間に挿入し、リング状固定具６０の係合部６２，６２を金属ベース１０の弾性係合受け部１２，１２に弾性係合する。これにより、リング状固定具６０が操作ダイヤル５０の段部５４に係合することにより、前記操作ダイヤル５０を抜け止めする。
なお、リング状固定具６０の金属ベース１０に対する固定方法は、弾性係合に限らず、カシメ固定、溶接固定であってもよい。
【００２３】
本実施形態によれば、押しボタンスイッチ３１ａ〜３１ｅに載置された押しボタン４０および操作板４５がドーム状反転バネのバネ力で上方に付勢されている。このため、上下方向のガタツキが生じないとともに、操作ダイヤル５０の慣性力による回り過ぎを抑制でき、誤操作が生じにくい。
また、金属ベース１０に、押しボタン４０，操作ダイヤル５０およびリング状固定具６０を仮保持することなく、一方向から順次、組み付けできるとともに、金属ベース１０に操作板４５およびリング状固定具６０をワンタッチで固定できる。このため、組立作業が容易で生産性に優れた操作入力装置が得られるという利点がある。
【００２４】
次に、前述の構成からなる操作入力装置を携帯電話機（図示せず）に適用した場合の操作方法について説明する。
操作ダイヤル５０を前記リング状固定具６０の軸心を中心として回動させると、前記操作ダイヤル５０は操作板４５およびリング状固定具６０に摺接しながら回動する。さらに、前記操作ダイヤル５０と一体な環状マグネット５３が回動し、一対のホール素子２６が磁界の変化をそれぞれ検知し、これに基づいて回動方向および回動量を検出する。
そして、その検出結果が図示しない制御回路を介してモニターの画面表示にスクロールバーの移動として反映される。ついで、所望の位置にスクロールバーが到達した場合に、押しボタン４０を押すことにより、中央押しボタンスイッチ３１ａの反転バネが反転し、対応する導電部２１ａを導通させて選択指令を出力する。
また、操作ダイヤル５０の周辺部を押し下げ、操作板４５の押圧用突起４８で押しボタンスイッチ３１ｂ〜３１ｅの反転バネを適宜反転させることにより、対応する導電部２１ｂ〜２１ｅを導通させてもよい。
【００２５】
第２実施形態は、図１０ないし図１８に示すように、基本的構造は第１実施形態とほぼ同様であり、大きく異なる点は押しボタン４０と操作板４５とを別体にした点である。
【００２６】
第２実施形態は、前述の第１実施形態と同様、フレキシブルなプリント基板２０を貼着一体化した金属ベース１０と、下面にドーム状可動接点からなる中央押しボタンスイッチ３１ａおよび４個の押しボタンスイッチ３１ｂ〜３１ｅを貼り付けた樹脂製フィルムカバー３０と、前記中央押しボタンスイッチ３１ａを操作する押しボタン４０と、前記押しボタンスイッチ３１ｂ〜３１ｅに載置される環状の操作板４５と、下面に環状マグネット５３を固定した操作ダイヤル５０と、前記金属ベース１０に前記操作ダイヤル５０を抜け止めするリング状固定具６０と、からなるものである。
【００２７】
前記金属ベース１０は、図１２および図１５に示すように、平面略円形であり、その中心から同一円周上に４つの略Ｔ字形状の弾性係合受け部１２を均等のピッチで切り起こしてある。前記弾性係合受け部１２のうち、対向する一対の弾性係合受け部１２，１２の外側に治具孔１３，１４をそれぞれ設けてある。また、前記金属ベース１０は、その外周縁部に、装置本体に組み付けるための係合爪１５を下方側に曲げ下ろしてある。
【００２８】
フレキシブルな樹脂フィルムからなるプリント基板２０は、第１実施形態と同様であるので、同一部分に同一番号を附して説明を省略する。
【００２９】
樹脂製フィルムカバー３０は、前記基板本体２０ａに被覆可能な平面形状を有し、接着材を塗布した裏面のうち、前記導電部２１ａ〜２１ｅと対応する位置に、扁平なドーム状反転バネからなる押しボタンスイッチ３１ａ〜３１ｅがそれぞれ貼り付けられている（図１５）。また、前記押しボタンスイッチ３１ａ〜３１ｅは押圧時の空気抵抗を小さくすべく、前記基板本体２０ａの裏面に前記押しボタンスイッチ３１ａ〜３１ｅにそれぞれ連通する通気部３７ａ，３７ｂを形成してある。さらに、前記樹脂製フィルムカバー３０は、前記金属ベース１０の弾性係合受け部１２および治具孔１３，１４に対応する位置に、係合孔３２および治具孔３３，３４をそれぞれ設けてある。そして、前記樹脂製フィルムカバー３０は、その外周縁部に前記ホール素子２６を被覆しないための切り欠き部３８を形成してある。
【００３０】
押しボタン４０は、図１１および図１４に示すように、後述する操作ダイヤル５０の嵌合孔５１に嵌合可能な外周形状を有し、その底面中央部に、押しボタンスイッチ３１ａを押し下げる操作用突起４２を設けてある。また、前記押しボタン４０は、その底面のうち、前記操作用突起４２を中心とする同一円周上に、不連続な４つの湾曲する弾性係止爪４３ａないし４３ｄを突設してある。
【００３１】
操作板４５は、前記押しボタンスイッチ３１ｂ〜３１ｅに載置可能な直径を有する同心円形状であり、その下面外周縁部の対向する位置に、前記金属ベース１０の弾性係合受け部１２に係合可能な係合部４６，４６を設けてある。また、前記操作板４５は、その下面外周縁部に、前記押しボタンスイッチ３１ｂ〜３１ｅを押圧するための操作用突起４８を、所定のピッチで突設してある。さらに、前記操作板４５は、その外周縁部の対向する位置に切り欠き溝を設け、断面略Ｌ字形状の保護用突起４７ａを形成してある。前記保護用突起４７ａは、図１８Ｂに示すように、上方から衝撃力が後述する操作ダイヤル５０に加わった場合に、前記保護用突起４７ａが衝撃力を受けることにより、マグネット５３とホールＩＣ２６との衝突を防止できる。
なお、前記操作板４５は、その上面に、後述する操作ダイヤル５０の回動操作を円滑に行うための摺動シート４９を貼着一体化するが、摩擦抵抗の小さい樹脂材料を塗布してもよく、また、摩擦抵抗を小さくするために梨地加工を施しておいてもよい。
【００３２】
操作ダイヤル５０は、図１３に示すように、前記金属ベース１０を被覆可能な同心円形状であり、その中心に前記押しボタン４０を嵌合できる嵌合孔５１を設けてある。また、前記操作ダイヤル５０は、その下面外周縁部に沿って環状溝５２を設けるとともに、前記環状溝５２に連通する４つの切り欠き部５２ａを所定のピッチで設けてある。さらに、前記嵌合孔５１の下方縁部には環状段部５４が形成されている。そして、前記環状溝５２の内側には同心円上に摺接溝５５を形成してある。
したがって、前記切り欠き部５２ａのいずれかに環状マグネット５３のバリ部５３ａを嵌合し、残る他の切り欠き部５２ａに接着剤を注入，固化することにより、前記操作ダイヤル５０に環状マグネット５３を固定する。なお、前記操作ダイヤル５０は、必ずしも円形である必要はなく、回動可能であれば、例えば、正八角形であってもよい。
【００３３】
リング状固定具６０は、図１１および図１４に示すように、リング部が断面略Ｔ字形状であり（図１６Ｂ）、前記操作ダイヤル５０の嵌合孔５１に嵌合することにより、前記操作ダイヤル５０の環状段部５４に係合して抜け止めできる外径寸法を有する。また、前記リング状固定具６０は、その内周面に前記押しボタン４０を嵌合できる内径寸法の操作孔６１を有している。さらに、前記リング状固定具６０は、その下方縁部の対向する位置に、前記金属ベース１０の弾性係合受け部１２に弾性係合可能な係合部６２を設けてある。そして、リング状固定具６０は、前記係合部６２の直上に位置する内側面に組付用突部６３を突設してあるとともに、前記組付用突部６３，６３の間に位置する内側面に位置決め用突部６４を突設してある。前記組付用突部６３は組付用ピン（図示せず）を挿入できるピン孔６３ａを有している。
【００３４】
次に、前述の構成部品の組立工程について説明する。
まず、図示しない治具である一対の位置決めピンに前記金属ベース１０の治具孔１３，１４を挿入して位置決めする。ついで、ホール素子２６，２６を所定の位置に実装したプリント基板２０の治具孔２３，２４を、前記治具の一対のピンに挿入することにより、前記金属ベース１０の弾性係合受け部１２に前記プリント基板２０の係合孔２２を嵌合して貼着一体化する。さらに、樹脂製フィルムカバー３０の治具孔３３，３４を前記治具ピンに挿入し、前記プリント基板２０の本体部２０ａに樹脂製フィルムカバー３０を貼着一体化することにより、導電部２１ａ〜２１ｅにドーム状反転バネからなる押しボタンスイッチ３１ａ〜３１ｅをそれぞれ位置決めする。
【００３５】
そして、操作板４５の係合部４６，４６を前記ベースの弾性係合受け部１２，１２に係合することにより、操作用突起４８を前記押しボタンスイッチ３１ｂ〜３１ｅ上に当接させて位置決めする。前記環状操作板４５に摺動シート４９を介して操作ダイヤル５０の摺動溝５５を嵌合し、回動自在に組み付ける。ついで、リング状固定具６０のピン孔６３ａ，６３ａに図示しない組付用ピンをそれぞれ挿入する。そして、前記組付用ピンを介してリング状固定具６０を内方に撓ませたままの状態で、操作ダイヤル５０の嵌合孔５１に嵌合し、係合部６２をベース１０の弾性係合受け部１２に係合することにより、前記操作ダイヤル５０を抜け止めする。最後に、押しボタン４０の弾性係止爪４３ａおよび弾性係止爪４３ｄの間に前記リング状固定具６０の位置決め用突部６４を嵌合して位置決めし、押しボタン４０を押し下げる。これにより、前記弾性係止爪４３ａないし４３ｄが前記リング状固定具６０に係止し、前記押しボタン４０が抜け止めされるとともに、前記押しボタン４０の操作用突起４２が押しボタンスイッチ３１ａに当接する。
なお、リング状固定具６０の金属ベース１０に対する固定方法は、弾性係合に限らず、カシメ固定、溶接固定であってもよい。
【００３６】
本実施形態においても、押しボタンスイッチ３１ａ〜３１ｅに載置された押しボタン４０および操作板４５がドーム状反転バネのバネ力で上方に付勢されている。このため、上下方向のガタツキが生じないとともに、操作ダイヤル５０の慣性力による回り過ぎを抑制でき、誤操作が生じにくい。
また、金属ベース１０に、操作板４５、操作ダイヤル５０、リング状固定具６０および押しボタン４０を仮保持することなく、一方向から順次、組み付けできるとともに、操作板４５、リング状固定具６０および押しボタン４０を、ワンタッチで固定できる。このため、組立作業が容易で生産性に優れた操作入力装置が得られるという利点がある。
【００３７】
前述の構成からなる操作入力装置の操作方法は、第１実施形態にかかる操作入力装置とほぼ同様であるので、説明を省略する。ただし、図１８Ｂに図示するように、操作ダイヤル５０に衝撃荷重が上方から負荷された場合には、操作板４５の保護用突起４７ａが衝撃荷重を受けることにより、ホール素子２６と環状マグネット５３との衝突を防止し、両者の破損を防止できるという利点がある。他は前述の実施形態と同一であるので、説明を省略する。
【産業上の利用可能性】
【００３８】
本発明にかかる操作入力装置は携帯電話機に限らず、他のモバイル機器やその他の電子機器に適用してもよいことは勿論である。
【図面の簡単な説明】
【００３９】
【図１】図１Ａおよび図１Ｂは本発明にかかる操作入力装置の第１実施形態を異なる角度から視た斜視図である。
【図２】図１Ａで示した操作入力装置の分解斜視図である。
【図３】図２で示した操作入力装置の一部を更に分解して上方から視た分解斜視図である。
【図４】図４Ａおよび図４Ｂは図２で図示した操作入力装置の一部を分解して異なる角度から視た分解斜視図である。
【図５】図１Ｂで示した操作入力装置の分解斜視図である。
【図６】図５で示した操作入力装置の一部を更に分解して下方から視た分解斜視図である。
【図７】図７Ａは図１で示した操作入力装置の底面図、図７Ｂは図７Ａで示すＢ−Ｂ線で切断した場合の縦断面図である。
【図８】図８Ａおよび８Ｂは図７Ａで示した操作入力装置のVIIIＡ-VIIIＡ線およびVIIIＢ-VIIIＢ線で切断した場合の縦断面図である。
【図９】図９Ａは図１で示した操作入力装置の底面図、図９Ｂは図９Ａで示すＢ−Ｂ線で切断した場合の縦断面図である。
【００４０】
【図１０】図１０Ａおよび図１０Ｂは本発明にかかる操作入力装置の第２実施形態を異なる角度から視た斜視図である。
【図１１】図１０Ａで示した操作入力装置を分解して上方から視た分解斜視図である。
【図１２】図１１で図示した操作入力装置の一部を更に分解して異なる角度から視た分解斜視図である。
【図１３】図１３Ａおよび図１３Ｂは図１１で図示した操作入力装置の一部を分解して異なる角度から視た分解斜視図である。
【図１４】図１０Ｂで図示した操作入力装置を分解して下方から視た分解斜視図である。
【図１５】図１１で図示した操作入力装置の一部を更に分解して下方から視た斜視図である。
【図１６】図１６Ａは図１０で示した操作入力装置の底面図、図１６Ｂは図１６Ａで示すＢ−Ｂ線で切断した場合の縦断面図である。
【図１７】図１７Ａおよび１７Ｂは図１６Ａで示した操作入力装置のVIIＡ-VIIＡ線およびVIIＢ-VIIＢ線で切断した場合の縦断面図である。
【図１８】図１８Ａは図１０で示した操作入力装置の底面図、図１８Ｂは図１８Ａで示すＢ−Ｂ線で切断した場合の縦断面図である。
【符号の説明】
【００４１】
１０：金属ベース
１２：弾性係合受け部
１３，１４：治具孔
１５：係合爪
２０：プリント基板
２１ａ〜２１ｅ：導電部
２２：係合孔
２３，２４：治具孔
２５：設置部
２６：ホール素子
３０：樹脂製フィルムカバー
３１ａ〜３１ａ：押しボタンスイッチ
３２：係合孔
３３，３４：治具孔
４０：押しボタン
４１：連結部
４２：操作用突起
４５：操作板
４６：係合部
４７ａ：保護用突起
４８：操作用突起
５０：操作ダイヤル
５１：嵌合孔
５２：環状溝
５３：環状マグネット
５４：環状段部
６０：リング状固定具
６１：操作孔
６２：係合部
６３：組付用突部
６３ａ：ピン孔
６４：位置決め用突部
【要約】
【課題】本発明は、搬送時や組立時に損傷しにくい操作入力装置を提供することにある。
【解決手段】中心周辺に弾性係合受け部１２を切り起こしたベース１０と、押しボタンスイッチ３１ｂ〜３１ｅを同一円周上に実装し、かつ、ホール素子２６を実装し、前記ベース１０に積み重ねて一体化したプリント基板２０と、内周縁部を前記ベース１０の前記弾性係合受け部１２に係合して抜け止めし、前記プリント基板２０の押しボタンスイッチ３１ｂ〜３１ｅに載置した環状操作板４５と、下面に環状マグネット５３を同心円上に一体化し、前記環状操作板４５に載置される環状の操作ダイヤル５０と、前記操作ダイヤル５０の嵌合孔内５１に挿入され、前記ベース１０の前記弾性係合受け部１２に下方縁部を係合し、前記操作ダイヤル５０の内周縁部に係合して抜け止めする固定具６０と、からなる操作入力装置である。
【選択図】図８【図１】
0004311495.tif 000002
【図２】
0004311495.tif 000003
【図３】
0004311495.tif 000004
【図４】
0004311495.tif 000005
【図５】
0004311495.tif 000006
【図６】
0004311495.tif 000007
【図７】
0004311495.tif 000008
【図８】
0004311495.tif 000009
【図９】
0004311495.tif 000010
【図１０】
0004311495.tif 000011
【図１１】
0004311495.tif 000012
【図１２】
0004311495.tif 000013
【図１３】
0004311495.tif 000014
【図１４】
0004311495.tif 000015
【図１５】
0004311495.tif 000016
【図１６】
0004311495.tif 000017
【図１７】
0004311495.tif 000018
【図１８】
0004311495.tif 000019